(57)【要約】【課題】ノートパソコンのカーソルを移動するとき、ポインティングデバイスを見なくても移動できるようにすること。【解決手段】ポインティングデバイス用のシートを構成する薄膜シート中央部に、凸の突起の十字線および右辺部と底辺部に模様などが集合した凸の突起がもうけられている。このポインティングデバイス用のシートをポインティングデバイス上に貼り、ディスプレイ上のカーソルを移動するときに指の感触だけで方向と領域を識別して、カーソルの移動をする。【選択図】　　　　図２
2004021563.tif 000002
【特許請求の範囲】
【請求項１】
薄膜シートの裏側に接着層が設けられたノートパソコンのポインティングデバイスに貼るシートにおいて、前記薄膜シートを指でなぞって方向の識別、領域の識別の手段が設けられていることを特徴とするノートパソコンのポインティングデバイスに貼るシート。
【請求項２】
前記の識別の手段は点や線や模様の凸の突起若しくは盛り上がった印刷であることを特徴とする請求項１記載のノートパソコンのポインティングデバイスに貼るシート。
【請求項３】
請求項１及び２を有するノートパソコンのキーボードより下半面を被うカバーであることを特徴とするノートパソコンのポインティングデバイスに貼るシート。
【発明の詳細な説明】
【０００１】
【発明が属する技術分野】
本発明は、ノートパソコンのポインティングデバイスに貼るシートに係り、さらに詳しくはポインティングデバイスに貼るシートを形成する薄膜シートに、方向識別、領域識別を付したノートパソコンのポインティングデバイスに貼るシートに関するものである。
【０００２】
【従来の技術】
従来、ノートパソコンを使用する時、外付けのマウスを使っていない場合、ノートパソコンのポインティングデバイス上を指でなぞってカーソルを動かし、パソコンの操作を行っている。
【０００３】
【発明が解決しようとする課題】
しかしながら、ノートパソコンのポインティングデバイスは平面であるため、ディスプレイ上のカーソルを任意の位置に移動する場合に、ポインティングデバイス上の指を的確な位置に誘導するための識別性に欠けるという不都合がある。この場合、ディスプレイ上のカーソルの移動とポインティングデバイス上の指の移動を誘導ため、視線をディスプレイとポインティングデバイスの間に頻繁に往復させなければならず、きわめて効率が悪い。
【０００４】
また、ノートパソコンの種類によってはポインティングデバイスの右端の縦辺数ミリ幅は、画面を上下方向にスクロールするための領域になっている。同じくポインティングデバイスの底辺の数ミリ幅は、画面を左右の方向にスクロールするための領域になっているが、このスクロールする部分とカーソルを移動させる部分の境界の識別がポインティングデバイス上に存在しないため、不用意に画面を上下や左右にスクロールして、操作が不安定となる。
【０００５】
【課題を解決するための手段】
上記の課題を解決するために、本発明は、薄膜シートの裏側に接着層が設けられたノートパソコンのポインティングデバイスに貼るシートにおいて、前記薄膜シートを指でなぞって方向の識別、領域の識別の手段が設けられる、という構成をとっている。このような構成とすることで、該シートをノートパソコンのポインティングデバイスに貼ったとき、ポインティングデバイスに視線を置くことなく識別手段を通じて、ディスプレイ上のカーソルの移動をするためのポインティングデバイス上の指の誘導が的確に行えるようになり、ノートパソコンが効率よく、安定性よく操作できる。
【０００６】
【発明の実施の形態】
本発明における識別手段は点や線や模様の凸の突起若しくは盛り上がった印刷により構成するとよい。これにより、ポインティングデバイス上の指の移動の方向識別、領域識別がはかられる。
【０００７】
また、ノートパソコンのキーボードより下半分を被うカバーに前記ポインティングデバイスに貼るシートを形成することで、ノートパソコンの汚れを防止できる。
【０００８】
【実施例】
図を用いて本発明の実施の形態について説明する。図１は本実施例に係るノートパソコンのポインティングデバイスに貼るシートの概略斜視図が示されている。この図において、シート１は平面長方形状の紙片からなり、裏面に接着層４を備えている。前記シートの方向の識別手段として中央付近から上下左右の十字線２がほどこされている。図１の実施例では線の凸の突起からなる十字線２での構成となっている。また、該シート１にはスクロール領域の識別手段として模様の凸の突起が集合した逆Ｌ字部３での構成となっている。
【０００９】
前記シート１は、図２に示されるようパソコン１０のポインティングデバイス１１に貼付けることにより、ポインティングデバイス１１上には方向と領域の識別手段である線と模様の凸の突起を作り出せる。この場合に、シート１を貼付けることにより指の圧力が正確にポインティングデバイス１１に伝わらなくなる、という問題が考えられるが厚手の画用紙程度なら何ら問題なく、指の圧力がポインティングデバイス１１に伝わる。
【００１０】
シート１が貼付けられたポインティングデバイス１１上に方向の識別手段である十字線２と領域の識別手段である逆Ｌ字部３が存在することにより、視線はディスプレイ上においたままで、指が方向の識別手段に沿いながら容易にカーソルの移動ができ、かつスクロール領域１２にさしかかる前に、領域の識別手段である逆Ｌ字部３に指が触れるため直前で移動が止まり、よって不用意の画面のスクロールが防止できる。特に水平方向ないし垂直方向の移動は、方向の識別手段にそって１回の指の移動操作で任意の目的位置まで正確に移動でき操作性の向上がはかられる。
【００１１】
なおシート１は、図３に示されるように方向と領域の識別手段を点の凸の突起からなる十字線２と逆Ｌ字部３で代替してもよい。こうすれば線や模様に比べて製造が簡単になり、製造コストが安価なポインティングデバイス用のシート１を提供できる。
【００１２】
図４は、図１において、線や模様の凸の突起がほどこされたシート１のＡ−Ａ’の断面図をあらわしている。さらには、図５は、前述の線や模様を盛り上がった印刷でほどこされたシート１のＡ−Ａ’の断面図をあらわしている。
【００１３】
ところで、シート１は図２のようにポインティングデバイスの大きさに限定するだけではなく、図６に示すようにパソコン１０のキーボードより下半面をカバーする大きさにしてもよく、こうすることにより、パソコンの汚れを防止できる。
【００１４】
図７は、図６においてのシート１のＢ−Ｂ’の断面図をあらわしているが、ポインティングデバイス相当部分６はポインティングデバイス１１の形状に応じて、浅い凹の形状になっている。あらかじめ製造時に浅い凹の形状にしておいてもよいが、製造が複雑になるため、平面のシート１で製造しておいて、使用時にパソコンに貼付するときにポインティングデバイスに沿って浅い凹部分になるように貼り付けるとよい。
【００１５】
さらに、パソコン１０の左ボタン１３と右ボタン１４の操作のために、図６、及び図７に示すようにボタン操作用窓５を開けておくにより、パソコンの左右ボタンの操作が確実に行える。
【００１６】
なお、本発明のポインティングデバイス用のシート１の材質は、以上の実施例のように紙に限定されるものではなく、例えば、布やプラスチックフィルムなどの薄膜のシート状のもので代替してもよい。こうすれば紙片のシートより耐久性があり、大変経済的になる。
【００１７】
【発明の効果】
以上説明したように、本発明によればポインティングデバイス用のシートを構成する薄膜のシートに、方向や領域の識別手段を設けたことにより、ポインティングデバイスを指で操作するときに手元を見ることなく、ディスプレイ上のカーソルの移動ができる。
【００１８】
また、ポインティングデバイス用のシートをパソコンのキーボードより下半分をおおうカバーに形成することで、パソコンの汚れが防止できる。
【図面の簡単な説明】
【図１】本発明の線と模様による凸の突起をほどこしたシートの概略斜視図を示す。
【図２】本発明のシートをノートパソコンのポインティングデバイスの上に貼る形状図を示す。
【図３】本発明の点の突起をほどこしたシートの概略斜視図を示す。
【図４】本発明の凸の突起をほどこしたシートのＡ−Ａ’断面図を示す。
【図５】本発明の盛り上がった印刷をほどこしたシートのＡ−Ａ’断面図を示す。
【図６】本発明のシートをノートパソコンのキーボードより下半分に貼る形状図を示す。
【図７】本発明のシートのＢ−Ｂ’断面図を示す。
【符号の説明】
１　　シート
２　　凸の突起の十字線
２’　印刷の十字線
３　　凸の突起の逆Ｌ字部
３’　印刷の逆Ｌ字部
４　　接着層
５　　ボタン操作用窓
６　　ポインティングデバイス相当部分
１０　ノートパソコン
１１　ポインティングデバイス
１２　スクロール領域
１３　左ボタン
１４　右ボタン
【図１】
2004021563.tif 000003
【図２】
2004021563.tif 000004
【図３】
2004021563.tif 000005
【図４】
2004021563.tif 000006
【図５】
2004021563.tif 000007
【図６】
2004021563.tif 000008
【図７】
2004021563.tif 000009